(57)【要約】      （修正有）【課題】安価なコストで、テープを巻き取る際の回転ドラムの回転摩擦抵抗を小さくできるようにした巻尺を提供する。【解決手段】回転ドラム１を軸支する軸２に、ナイロン（商品名）からなる樹脂製のブッシュ５を嵌設し、該ブッシュ５を介して回転ドラム１を軸支する。【選択図】図１
0003195769.tif 000002
【実用新案登録請求の範囲】
【請求項１】
測定用テープが周囲に巻回されると共に、測定用テープを巻き込み方向に付勢するための付勢手段を内装する回転ドラムがケース内の軸に軸支されてなる巻尺であって、上記回転ドラムが、上記軸に嵌設された樹脂素材のブッシュを介して軸支されていることを特徴とする巻尺。
【請求項２】
上記樹脂素材が、ナイロンであることを特徴とする請求項１に記載の巻尺。
【請求項３】
上記ブッシュの一端に、外方に突出するひさしが形成されていることを特徴とする請求項１に記載の巻尺。
【請求項４】
上記ブッシュが、オイル含浸ブッシュであることを特徴とする請求項１に記載の巻尺。
【考案の詳細な説明】
【技術分野】
【０００１】
本考案は、自動巻き取り式の巻尺に関し、より詳しくは、測定用テープを巻き取る際の回転ドラムの回転摩擦抵抗を小さくできるようにした巻尺に関する。
【背景技術】
【０００２】
今日、巻尺の多くは、測定用テープを自動的に巻き取る自動巻取式の巻尺が広く用いられており、それは、巻胴部に測定用テープを巻回すると共に、この測定用テープを巻取る付勢手段となる渦巻状のばねが内装された回転ドラムと、該回転ドラムを収納するケースとから構成されている。通常、測定用テープはケース内に収納されているため、測定に際しては、ケースの測定用テープ出入口に係止する測定用テープ先端に設けられている係止片を指で引き、それに続いて引き出された測定用テープを適当に引き出して所望の測定が行われる。
【０００３】
そして、測定が終了して測定用テープをケース内に収容する際は、制動装置や手によって停止させられている測定用テープの制動を解除することにより、測定用テープは、ケース内の回転ドラムに内装されたばねの復帰力によって自動的にケース内に巻き取られて行き、測定用テープ先端の係止片が測定用テープ出入口に係止されることによって測定用テープの巻き取りが終了する。また、測定用テープ出入口には衝突する係止片（先端フック）の衝突エネルギーを緩和（吸収作用も含む）する衝撃緩衝部材が設けられているのが普通である。
【０００４】
この種の巻尺においては、ケースや回転ドラムなどの巻尺の構成部材が成型性に優れる樹脂素材を用いた一体成型によって形成されているのが普通であり、従って、回転ドラムは測定用テープの引き出しまた巻き取りの際の樹脂どうしの融着を阻止するため、回転ドラムと軸の基部との間に隙間が設けられている（同素材どうしの摺動のとき摩擦抵抗が特に大になるため）。すなわち、回転ドラムは軸に遊嵌状態で軸支されることになるので、軸やケース内壁に接触しての回転となり、上述の樹脂どうしの融着は阻止できるものの、その回転は極めて大きな摩擦抵抗（接触抵抗）下での回転となっていた。特に、測定用テープを巻き取る際に回転ドラムが高速で回転すると、回転ドラムが軸やケース内壁に接触した振動が使用者の手にも伝わって、使用者に与える品質的印象も非常に悪かった。
【先行技術文献】
【特許文献】
【０００５】
【特許文献１】特開平１１−１６０００１号公報
【考案の概要】
【考案が解決しようとする課題】
【０００６】
本考案の目的とするところは、合理的で且つ成型が極めて容易な樹脂素材を用いた一体成型方法を変えることなく、安価なコストで、測定用テープを巻き取る際の回転ドラムの回転摩擦抵抗を小さくできる巻尺を提供できるようにすることにある。
【課題を解決するための手段】
【０００７】
上述した課題を解決するために、本考案に係る巻尺は、測定用テープが周囲に巻回されると共に、測定用テープを巻き込み方向に付勢するための付勢手段を内装する回転ドラムがケース内の軸に軸支されてなる巻尺であって、上記回転ドラムが、上記軸に嵌設された樹脂素材のブッシュを介して軸支されていることを特徴とするものである。
【０００８】
本考案の巻尺を詳しく説明すると、ケースとは、測定用テープを収容する部材であり巻尺の本体でもある。またケースは、所望の形状に適宜形成された樹脂素材から形成されていて、このケース内の側壁に軸が立設されると共に、該軸にメモリが印刷された測定用テープを周囲に巻回した回転ドラムが軸支されている。また、回転ドラムの内部には測定用テープを巻き取るための渦巻き状の巻き取りばねが設けられており、測定用テープは巻き取り方向に付勢されている。なお、ケースは、成形性に優れた樹脂素材を用いて一体的に成型されるが、これに限定されるものではなく、金属素材などの他の素材を用いて形成する場合もある。そして、ケースが金属素材から構成されていても、回転ドラムが、上記軸に嵌設された樹脂素材のブッシュを介して軸支されるので、樹脂素材の回転ドラムと金属素材のケースとが摺動することもない。
【０００９】
上記軸は、前述のようにケース内側壁に立設されているが、その立設形態は収容する測定用テープの長さや幅また素材などにより適宜の構造また方法が用いられて立設されている。立設の具体例としては、軸の一端面または両端面に雌ねじが螺刻されて、その雌ねじに、ケース外方から雄ねじがケースの側壁に有する通孔を通過して螺着されることによって軸がケース内側壁に固定され立設される。また、ケースの成型時に軸をケースと共に一体的に成型することによって軸がケース内側壁に立設される。
【００１０】
そして、軸の設置においては、軸のみが立設されている場合もあり、この場合、回転ドラムは軸本体に嵌っている。しかしながら、軸の周囲に、軸に近接させてまたは適宜に離して適宜高さの突条などが設けられている場合もあって、この場合は、回転ドラムは軸本体に嵌っていたりまたは上記突条に嵌っていたりする。従って、本明細書中の軸とは、軸本体と共に、軸の周囲に形成される突条をも含むものである。すなわち、ケース内に形成されて回転ドラムが嵌っている適宜の部位（部材）をも軸の一部と解釈する。
【００１１】
上記測定用テープは、ケースの前壁下方に設けられている測定用テープ出入口から出入りしており、また、測定用テープの巻き取りが終了する際は、該測定用テープ先端に有する係止片がケースの測定用テープ出入口に係止することにより、測定用テープのケース内への引き込まれが阻止される。そして、係止片は相当な速度で測定用テープ出入口に衝突するため、一般的に、該測定用テープ出入口には係止片の衝突エネルギーを緩和（吸収作用も含む）するための衝撃緩衝部材が設けられている。
【００１２】
このように構成される巻尺の軸と回転ドラムとの間の適宜の部位、例えば軸の基部に、樹脂素材のブッシュが設けられている。すなわち、回転ドラムが、軸にセットされた樹脂素材のブッシュを介して軸支されている。そして、上記ブッシュは、単品で設けてもよいが、複数の同形状や異形状のブッシュを適宜組み合わせて設けてもよい。
【００１３】
ブッシュの介在においての具体例として、一般的な筒状のものは、ブッシュの有する通孔を軸に挿入し、該ブッシュの外周に回転ドラムを嵌着する。または、ブッシュを回転ドラムの中央に形成された通孔に該ブッシュの外周を嵌着して取り付け、該ブッシュに有する通孔に軸を嵌挿するようにしてもよい。また、ブッシュ本体の一端に、外方に突出するひさしを形成したブッシュは、ひさし側をケースの側壁側になるようにしてブッシュを軸にセットし、回転ドラムの側壁の外側がブッシュのひさしに接するように該回転ドラムを軸にセットするのがよい。
【００１４】
なお、ブッシュは軸の基部側に設けるほかにも、軸の先端側に設けてもよい。具体的には、２つ割りで構成されているケースであれば、軸を立設する側の半ケースにおける該軸の基部（軸の根本）に第１ブッシュをセットし、他方の半ケースにおける軸の先端を支持するための先端支持部に第２のブッシュをセットして、回転ドラムの両側壁に有する軸を通すための通孔をブッシュの外周に嵌める。また、第１ブッシュと第２のブッシュの両方を設ける場合も、これらの一方の設置だけて回転ドラムの回転摩擦抵抗を小さくできるならば、両方を配置することなく一方だけの設置でもよい。
【００１５】
そして、ブッシュの素材としては、耐変形性や耐摩耗性に優れるナイロン（商品名）を用いるのがよい。なお、ナイロン（商品名）を主成分にして形成された樹脂素材も、上記ナイロン（商品名）に含む。また、摺動抵抗をより低減させるため、ブッシュ本体にオイルを浸み込ませたオイル含浸ブッシュを用いてもよい。
【００１６】
勿論、上述のブッシュの介在形態はこれに限定されるものではなく、好適な形態また方法で介在させればよい。
【考案の効果】
【００１７】
本考案の巻尺によれば、樹脂素材からなるブッシュを介して回転ドラムを軸支することで、測定用テープを巻き取る際の回転ドラムの回転摩擦抵抗を格段に小さくすることができる。
【００１８】
ブッシュは、価格も非常に安価であり、また、ブッシュを軸にセットする作業も簡単にできる。従って、安価なコストで回転ドラムの回転摩擦抵抗を小さくできる非常に優れた回転摩擦抵抗の低減手段である。
【００１９】
また、回転ドラムも安定して回転するので、測定用テープを巻き取る際の振動や摺動音も大に低減され、これにより、使用者に与える品質的印象を格段に向上させることができる。すなわち、巻尺の高品質化に寄与する。
【００２０】
そして、回転ドラムの回転摩擦抵抗が小さくなるので、従来から用いていた測定用テープの巻き取りばね（渦巻きばね）を低トルクの巻き取りばねに変更することもできる。低トルク化できるということは、すなわち、巻き取りばねの質量を少なくすることができるため大なる原価低減（ばね材は重量で単価が決められている）ができることであり、従って、上述のブッシュによるコスト上昇分を帳消しにできるどころか、巻尺の製造原価のコストダウンも可能となる。
【００２１】
さらに、巻き取りばねの低トルク化ができるということは、該巻き取りばねをはじめとする測定用テープや測定用テープ先端フックなどの耐久性向上や、巻尺自体の軽量化にも大いに寄与する。
【図面の簡単な説明】
【００２２】
【図１】本考案に係る巻尺の軸立設側の半ケース内を示す一部切欠概略図。
【図２】ブッシュの一例を示した拡大斜視図。
【図３】巻尺の一部概略断面図。
【考案を実施するための形態】
【００２３】
以下、本考案に係る巻尺を、添付図面に示す具体例に基づいて説明する。図１は、本巻尺の軸立設側の半ケース内を示す一部切欠概略図で、回転ドラム１を支持する軸２が、半ケース３の側壁４に立設される。そして、この軸２の基部２ａに樹脂素材のブッシュ５が嵌装される。また、図中の符号１ａが、回転ドラム１の巻胴側壁１ｂに形成された軸２に嵌めるための通孔である。なお、符号６は、巻胴に巻き回されている測定用テープである。
【００２４】
また、本実施例に示すブッシュ５は、本体の一端に外方に突出する部分を有するブッシュを用いている。図２中の（ａ）は、ブッシュ５を拡大した図であり、符号５ａは、ブッシュ５の筒部で、軸２に嵌める通孔５ｂを有している。符号５ｃは、筒部５ａの一端に形成された外方に突出するひさしで、このひさし５ｃのひさし面５ｄと回転ドラム１の巻胴側壁１ｂの外面とが接触する。
【００２５】
図２中の（ｂ）は、図１中に示した軸２の基部付近を拡大した図であり、軸２の基部２ａに、ブッシュ５の通孔５ｂが嵌められている。嵌め合いは、多少の遊びが生じるように構成するのが望ましい。
【００２６】
図３は、巻尺の一部概略断面図であり、図３中の（ａ）は、回転ドラム１の巻取りばね１ｃをセットする収容部１ｄの開口１ｅを解放にしている形態の回転ドラムを示しており、この回転ドラム１の場合は、半ケース３の側壁４に立設する軸２にセットするブッシュ５は、該軸２の基部２ａに１つ設けられている。すなわち、回転ドラム１が、半ケース３の側壁４に立設する軸２の基部２ａにセットされたブッシュ５を介して軸支される。
【００２７】
図３中の（ｂ）は、回転ドラム１の巻取りばね１ｃをセットする収容部１ｄの開口１ｅに蓋体１ｆを設けて、該開口１ｅを閉塞している形態の回転ドラムを示しており、この回転ドラム１の場合は、半ケース３の側壁４に立設する軸２にセットするブッシュ５は、該軸２の基部２ａと軸２の先端を支持する先端支持部２ｂとの２個所に設けられる。すなわち、回転ドラム１が、半ケース３の側壁４に立設する軸２の基部２ａと軸２の先端支持部２ｂにセットされたブッシュ５を介して軸支される。また、先端支持部２ｂにセットされたブッシュ５のひさし面５ｄ（図２参照）と接触する回転ドラム１の接触部は、回転ドラム１の巻取りばね１ｃをセットする収容部１ｄの開口１ｅに設けた蓋体１ｆの面である。
【００２８】
なお、軸２の基部２ａと軸２の先端を支持する先端支持部２ｂとの２個所に設けている図３中の（ｂ）の場合、基部２ａもしくは先端支持部２ｂのいずれか一方の設置で回転ドラム１の回転摩擦抵抗を小さくできるならば、これら基部２ａと先端支持部２ｂとの２個所に設けることなく、いずれか一方の設置でもよい。
【符号の説明】
【００２９】
１…回転ドラム
１ａ…通孔
１ｂ…巻胴側壁
１ｃ…巻取りばね
１ｄ…収容部
１ｅ…開口
１ｆ…蓋体
２…軸
２ａ…基部
２ｂ…先端支持部
３…半ケース
４…側壁
５…ブッシュ
５ａ…筒部
５ｂ…通孔
５ｃ…ひさし
５ｄ…ひさし面
６…測定用テープ
【図１】
0003195769.tif 000003
【図２】
0003195769.tif 000004
【図３】
0003195769.tif 000005